【事件の表示】
　特許第３００４８３２号「カメラ装置」の請求項１ないし３に係る特許に対する特許異議の申立てについて、次のとおり決定する。
【結　論】
　訂正を認める。
　特許第３００４８３２号の請求項１に係る特許を取り消す。
　同請求項２ないし３に係る特許を維持する。
【理　由】
１、手続きの経緯
　本件特許第３００４８３２号の発明は、平成５年１月１１日に特許出願され、平成１１年１１月１９日にその特許の設定登録がなされ、その後、富士写真光機株式会社より特許異議の申立てがなされ、取消理由通知がなされ、その指定期間内である平成１２年１２月１５日に訂正請求がなされたものである。
　
２、訂正の適否についての判断
（１）訂正の内容  
　
　訂正事項a
　特許請求の範囲を次のとおり訂正する。
「【請求項１】カメラに内蔵されたフィルタを手動で切換えるための手動切換ノブを有する手動機構に対し、モータ保持枠を含む電動機構を傾動により着脱して、モータの作動により前記手動切換ノブを回転可能としたことを特徴とするカメラ装置。
【請求項２】前記電動機構は前記カメラにレンズ装置を装着するためのバヨネットリングに固定した請求項１に記載のカメラ装置。         
【請求項３】前記電動機構は三脚取付板に固定した請求項１に記載のカメラ装置。」
　
　訂正事項b
　段落番号【０００１】の「カメラ装置及びそのレンズ固定方法」を「カメラ装置」と訂正する。
　
　訂正事項c
　段落番号【０００５】の「上述の目的を達成するための本発明に係るカメラ装置は、カメラに内蔵されたフィルタを手動で切換える手動機構に、電動で切換える電動機構を着脱自在に取り付けたことを特徴とする。」を、「上述の目的を達成するための本発明に係るカメラ装置は、カメラに内蔵されたフィルタを手動で切換えるための手動切換ノブを有する手動機構に対し、モータ保持枠を含む電動機構を傾動により着脱して、モータの作動により前記手動切換ノブを回転可能としたことを特徴とする。」と訂正する。
　
（２）訂正の目的の適否、新規事項の有無及び拡張・変更の存否
　上記訂正事項aは、特許請求の範囲の減縮に該当し、上記訂正事項b及びcは、明瞭でない記載の釈明に該当するものである。そして、該訂正事項aないしcは、いずれも新規事項の追加に該当せず、実質的に特許請求の範囲を拡張又は変更するものではない。
　
（３）むすび
　以上のとおりであるから、上記訂正は、特許法等の一部を改正する法律（平成６年法律第１１６号）附則第６条第１項の規定によりなお従前の例によるとされる、特許法第１２０条の４第３項において準用する平成６年法律第１１６号による改正前の特許法第１２６条第１項ただし書き、第２項の規定に適合するので、当該訂正を認める。
　
３、特許異議の申立てについての判断
（１）異議申立ての理由の概要
　異議申立人富士写真光機株式会社は、下記の刊行物１を提出し、本件特許請求の範囲の請求項１ないし３に係る発明は、下記の刊行物１に記載された発明に基づいて当業者が容易に発明をすることができたものであるから、該発明１ないし３の特許（訂正前の発明１ないし３の特許）は特許法第２９条第２項の規定に違反してなされたものであり取り消されるべきである。
　
（２）本件発明
　特許第３００４８３２号の請求項１ないし３に係る発明（以下、それぞれ「本件発明１」ないし「本件発明３」という。）は、平成１２年１２月１５日付けの訂正明細書の特許請求の範囲の請求項１ないし３に記載された事項により特定される上記２−（１）の訂正事項aに記載のとおりのものである。
　
（３）引用刊行物
　刊行物１　実願昭６３−１６５１４２号（実開平２−８６２７１号）のマイクロフイルム
　
（４）引用刊行物に記載された発明
　刊行物１には、
　「複数の色温度フィルタが取付けられたフィルタディスクを有するビデオカメラに関し、特に前記フィルタディスクを簡単かつ小型軽量な機構を用いてモータ駆動又は手動のいずれにても回転出来るようにしたビデオカメラに関する。」（明細書第２頁第１行〜５行）。
　「駆動ユニット５を取り外して手動にてフィルタディスク（図示せず）を回転させる時はつまみ２Aを操作し（第１図（a））、駆動ユニット５を取付けてリモートコントロールにてフイルタディスクを回転させる時は駆動ユニット５に内蔵するモータにより第２の歯車３Bを回転させて、第２の歯車３Bとかみあって連動する第１の歯車３Aを回転させ、フィルタディスクを回転させる（第１図（b））」（明細書第８頁第４行〜１２行）。
　「駆動ユニット５の取付具６はビューファインダ４の取付具を使用する場合について図示したが、アクセサリーシューなど他の取付具を使用するように設計してもよい。」（明細書第８頁第１５行〜１８行）。
　なる各記載事項があり、該記載事項における色温度フィルタがカメラに内蔵されていることは明らかであるから、該記載事項と図面、特に第１図（a）、（b）の記載からして、次のような発明が記載されている。
　即ち、
「カメラに内蔵された色温度フィルタを手動で回転させるためのつまみを有する第１の歯車に対し、取り外しと取付けが可能な駆動モータを備える駆動ユニットの第２の歯車をかみあい可能にして、駆動モータの駆動により前記つまみを回転可能としたビデオカメラ。」　
　
（５）対比・判断
　a、本件発明１の特許について
　本件発明１と刊行物１に記載された発明とを対比すると、刊行物１に記載された発明の「色温度フィルタ」、「駆動モータ」、「モータの駆動」、「ビデオカメラ」はそれぞれ、本件発明１の「フィルタ」、「モータ」、「モータの作動」、「カメラ装置」に相当し、刊行物１に記載された発明の「つまみ」と「つまみを有する第１の歯車」及び本件発明の「手動切換ノブ」と「手動切換ノブを有する手動機構」はそれぞれ、手動操作部及び手動操作部を有する手動機構であり、また、刊行物１に記載された発明のフィルタを「回転させる」は、本件発明１のフィルタを「切換える」に対応し、刊行物１に記載された発明の「駆動モータを備える駆動ユニットの第２の歯車」と本件発明１の「モータ保持枠を含む電動機構」は、モータを備える駆動機構であり、そして、刊行物１に記載された発明の前記取り外しと取付けが可能な駆動ユニットの第２の歯車をつまみを有する第１の歯車とかみあわせ可能とすることは、実質的に両者間の着脱が可能であると解することができるから、両者は、
　「カメラに内蔵されたフィルタを手動で切換えるための手動操作部を有する手動機構に対し、モータを備える駆動機構を着脱して、モータの作動により前記手動操作部を回転可能としたカメラ装置。」
　で一致し、以下の点において相違している。
　本件発明１のモータを備える駆動機構がモータ保持枠を含む電動機構であり、該電動機構を手動操作部である手動切換ノブを有する手動機構に対して傾動により着脱して、該手動操作部である手動切換ノブをモータ作動により回転可能としたのに対し、刊行物１に記載された発明の上記駆動機構がモータを備える駆動ユニットの第２の歯車であり、該ユニットの第２の歯車を手動操作部であるつまみを有する第１の歯車からなる手動機構に対してかみあわせ可能に着脱して、該手動操作部であるつまみをモータ作動により回転可能としたものである点。
　
　上記相違点について検討する。
　刊行物１に記載された発明の駆動機構であるモータを備える駆動ユニットの第２の歯車は、該ユニットにおけるモータの電動、モータ保持枠が普通に使用されるものであることから、本件発明１の電動機構とその構成において格別異なるものではなく、両者の駆動機構に実質的な差異はなく、また、刊行物１に記載された発明の手動機構は、その手動操作部であるつまみが本件発明１の手動切換ノブと格別異なるものではないから、両者の手動機構も実質的に差異はない。
　そして、刊行物１に記載された発明の手動機構に対する駆動機構の着脱による上記第１の歯車と第２の歯車のかみあわせは、両者歯車の相対的な直線方向移動によるものであるから、本件発明１の上記着脱とは、傾動による着脱であるか、線方向移動による着脱であるかの差異にすぎず、この点は格別なことではなく当業者が適宜必要に応じて選択し得る設計上の選択事項にすぎない。
　したがって、本件発明１は、刊行物１に記載された発明に基づいて当業者が容易に発明をすることができたものであるから、本件発明１の特許は、特許法第２９条第２項の規定に違反してなされたものである。
　
　b、本件発明２及び３の特許について
　本件発明２及び３の特許については、該発明２及び３のカメラ装置がそれぞれ、その特定事項として、本件発明１のカメラ装置が具備する上記構成に加えてそれぞれ、「電動機構はカメラにレンズ装置を装着するためのバヨネットリングに固定した」、「電動機構は三脚取付板に固定した」という構成を備えるものであり、これらの構成については上記刊行物１に記載された発明には何らの記載がなされておらず、「アクセサリーシューなど他の取付具」から示唆されるものではない。そして、これらの構成は、刊行物１に記載された発明のものから自明なものではなく、また、該刊行物１に記載された発明に基づいて容易に発明をすることができたものではない。
　したがって、本件発明２及び３は、特許異議申立人が証拠として提出した刊行物１に記載された発明から容易に発明をすることができたものではないので、本件発明２及び３の特許は、特許法第２９条第２項の規定に違反してなされたものではない。
　
（６）むすび
　以上のとおりであるから、本件発明１は、特許法第２９条第２項の規定により特許を受けることができない。
　したがって、本件発明１についての特許は拒絶の査定をしなければならない特許出願に対してなされたものと認める。
　また、本件発明２及び３については、特許異議の申立の理由によってはその特許を取り消すことがはできない。
　また、他に本件発明２及び３についての特許を取り消すべき理由を発見しない。
　したがって、本件発明２及び３についての特許は拒絶の査定をしなければならない特許出願に対してなされたものと認めない。
　
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、結論のとおり決定する。
【異議決定日】
平成１３年１月２２日（２００１．１．２２）
【訂正の要旨】
　訂正の要旨
　訂正事項ａ
　特許請求の範囲を、その減縮を目的として以下のとおり訂正する。
「【請求項１】カメラに内蔵されたフィルタを手動で切換えるための手動切換ノブを有する手動機構に対し、モータ保持枠を含む電動機構を傾動により着脱して、モータの作動により前記手動切換ノブを回転可能としたことを特徴とするカメラ装置。
　【請求項２】前記電動機構は前記カメラにレンズ装置を装着するためのバヨネットリングに固定した請求項１に記載のカメラ装置。
　【請求項３】前記電動機構は三脚取付板に固定した請求項１に記載のカメラ装置。」
　訂正事項ｂ
　段落番号【０００１】の「カメラ装置及びそのレンズ固定方法」を、「カメラ装置」と、その明りょうでない記載の釈明を目的として訂正する。
　訂正事項ｃ
　段落番号【０００５】の「上述の目的を達成するための本発明に係るカメラ装置は、カメラに内蔵されたフィルタを手動で切換える手動機構に、電動で切換える電動機構を着脱自在に取り付けたことを特徴とする。」を、「上述の目的を達成するための本発明に係るカメラ装置は、カメラに内蔵されたフィルタを手動で切換えるための手動切換ノブを有する手動機構に対し、モータ保持枠を含む電動機構を傾動により着脱して、モータの作動により前記手動切換ノブを回転可能としたことを特徴とする。」と、その明りょうでない記載の釈明を目的として訂正する。
（５４）【発明の名称】
カメラ装置
（５７）【特許請求の範囲】
　【請求項１】　カメラに内蔵されたフィルタを手動で切換える
ための手動切換ノブを有する
対し
モータ保持枠を含む
傾動により
して、モータの作動により前記手動切換ノブを回転可能とした
　【請求項２】　前記電動機構は前記カメラにレンズ装置を装着するためのバヨネットリングに固定した請求項１に記載のカメラ装置。
　【請求項３】　前記電動機構は三脚取付板に固定した請求項１に記載のカメラ装置。
【発明の詳細な説明】
　【０００１】
　【産業上の利用分野】
　本発明は、テレビカメラ等においてカメラに内蔵されたフィルタを切換えるためのカメラ装置に関するものである。
　【０００２】
　【従来の技術】
　通常のカメラにはフィルタが内蔵されており、このようなフィルタは軽量化のために、手動で切換えられるようになっている。
　【０００３】
　【発明が解決しようとする課題】
　しかしながら上述した従来例では、フィルタを遠隔操作によって切換えることができないという問題がある。また、遠隔操作によって切換えることができるようにするためには、電動式で切換えるフィルタユニットを組込むか、このようなフィルタユニットを予め組み込んだ特別仕様のレンズ装置を必要とし、コストが高くなるという問題がある。
　【０００４】
　本発明の目的は、上述した問題点を解消し、手動により切換えるフィルタを電動により切換えることができるカメラ装置を提供することにある。
　【０００５】
　【課題を解決するための手段】
　上述の目的を達成するための本発明に係るカメラ装置は、カメラに内蔵されたフィルタを手動で切換える
ための手動切換ノブを有する
対し
モータ保持枠を含む
傾動により
して、モータの作動により前記手動切換ノブを回転可能とした
　【０００６】
　【作用】
　上述の構成を有する本発明に係るカメラ装置は、手動機構に電動機構を取り付けてフィルタを電動で切換える。
　【０００７】
　【実施例】
　本発明を図１〜図１０に図示の実施例に基づいて詳細に説明する。
　図１は第１の実施例の側面図、図２は正面図、図３は平面図である。カメラ本体１１は複数の三脚取付ねじ孔１２を有する三脚取付板１３上に載置され、カメラ本体１１の前部にはバヨネットリング１４を介してレンズ装置１５が取り付けられている。カメラ本体１１の前方上部には、内蔵されたフィルタ１６を切換えるための手動切換ノブ１７が設けられ、この手動切換ノブ１７を回転することによりフィルタ１６が切換えられるようになっている。手動切換ノブ１７には、ゴム等から成るローラ１８を介してモータ１９が連結され、モータ１９はモータ保持枠２０に保持されている。一方、バヨネットリング１４には吸着ゴム２１を介して固定リング２２が取り付けられ、この固定リング２２にはモータ保持枠２０が固定ノブ２３により取り付けられている。ここでモータ保持枠２０は、固定ノブ２３により矢示ａ方向に傾動自在に固定されると共に、固定リング２２により矢示ｂ方向に傾動自在に取り付けられている。なおモータ１９には、図４に示すような電源２４とスイッチ２５とから成る制御装置２６が接続されている。
　【０００８】
　このような構成により、モータ保持枠２０が固定リング２２に対して矢示ａ方向に傾動自在に固定されているため、モータ保持枠２０を矢示ａ方向に回転すると共に固定リング２２を矢示ｂ方向に回転することにより、ローラ１８と手動切換ノブ１７の位置が調整でき、ローラ１８の回転は手動切換ノブ１７に良好に伝達できるようになる。この状態でスイッチ２５をオンにすると、モータ１９が作動してフィルタ１６が回転し、スイッチ２５をオフにすると、モータ１９が停止してフィルタ１６がその位置で固定される。なお、フィルタ１６に多種のフィルタが使用されている場合には、それらのフィルタ１６を図示しないモニタを見ながら選択することができる。
　【０００９】
　図５は第２の実施例の側面図、図６は正面図であり、ここでは手動切換ノブ１７にテーパ状凹部を有するローラ３１が外嵌され、このローラ３１はベルト３２を介してモータ１９に連結されている。モータ１９はモータ保持枠３３により保持され、モータ保持枠３３は吸着ゴム２１を介してバヨネットリング１４に固定されている。なお、ベルト３２の張りはモータ保持枠３３を矢示ｂ方向に傾動することにより調整できる。
　【００１０】
　図７は第３の実施例の側面図、図８は正面図であり、ここではモータ保持枠３４は、三脚取付板１３に三脚取付ねじ３５により固定された支持台３６に、固定ノブ３７により固定されている。このとき、モータ保持枠３４には長孔３４ａが設けられ、この長孔３４ａを矢示ｃ方向及び矢示ｄ方向に上下動及び傾動するようにモータ保持枠３４を移動することにより、手動切換ノブ１７の位置を調整できる。
　【００１１】
　図９は第４の実施例の側面図、図１０は正面図であり、ここでは手動切換ノブ１７に連結されたローラ３１はベルト３８を介してモータ１９の軸に連結され、モータ１９は三脚取付板１３に三脚取付ねじ３５により固定されたモータ保持台４０に固定されている。本実施例でも、ベルト３８の張りはモータ保持台４０を矢示ｅ方向に移動することにより調整できる。
　【００１２】
　【発明の効果】
　以上説明したように本発明に係るカメラ装置は、手動機構に電動機構を着脱自在に取り付けたことにより、カメラを改造することなくフィルタを電動により切換えることができ、遠隔操作も可能になる。また、電動機構を内蔵する必要がないため、大量生産が容易になると共に部品点数が減少してコストが下がり軽量化される。
【図面の簡単な説明】
　【図１】
　第１の実施例のフィルタ切換装置の側面図である。
　【図２】
　正面図である。
　【図３】
　平面図である。
　【図４】
　コントロールボックスの構成図である。
　【図５】
　第２の実施例の側面図である。
　【図６】
　正面図である。
　【図７】
　第３の実施例の側面図である。
　【図８】
　正面図である。
　【図９】
　第４の実施例の側面図である。
　【図１０】
　正面図である。
　【符号の説明】
　１１　カメラ本体
　１３　三脚取付板
　１４　バヨネットリング
　１６　フィルタ
　１７　手動切換ノブ
　１８、３１　ローラ
　１９　モータ
　２０、３３、３４、４０　モータ保持枠
　３２、３８　ベルト